(57)【特許請求の範囲】
【請求項１】
一対の面材を厚み方向に組み付けてなるものにおいて、
前記一対の面材の一部において周囲を閉鎖された箇所を相互に連通する連通口と、当該連通口に取り付ける取付部材とを有するものとし、
前記連通口と前記取付部材とによって、前記連通口に当該取付部材とを取り付ける際に、前記一対の面材のうち何れか一方の面材を他方の面材に引き寄せる引き寄せ機構を、前記連通口の周囲における面方向に対面する位置にそれぞれ構成していることを特徴とする面材の組付構造。
【請求項２】
前記取付部材を一体成形により構成したものとし、
当該取付部材を前記厚み方向に沿った所定の取付方向から前記連通口に取り付けるものとして、
前記引き寄せ機構を、前記取付方向から一方の面材を押圧する押圧部と、他方の面材を前記取付方向とは反対方向に引き寄せる引き寄せ部とを有するものとしている請求項１記載の面材の組付構造。
【請求項３】
前記引き寄せ部を、前記取付部材に設けた爪部と、前記他方の面材に形成された前記厚み方向に沿って面する爪受け穴とを有するものとし、
前記爪部を、前記取付部材の前記取付方向への移動に伴い経過的に弾性変形し得る弾性変形部と、前記取付部材を所定の取付位置に位置付けた際に前記弾性変形部の弾性反発力により前記爪受け穴の内縁に係合し得る係合部とを有するものとしている請求項２記載の面材の組付構造。
【請求項４】
前記引き寄せ機構を、前記押圧部が前記一方の面材を押圧した状態から前記押圧部と前記一方の面材とが離間することを禁止する抜け止め部をさらに有するものとしている請求項２又は３記載の面材の組付構造。
【請求項５】
前記取付部材を、配線挿通孔を形成し得るものとしている請求項１、２、３又は４記載の面材の組付け構造。
【請求項６】
前記一対の面材を起立面としている請求項１、２、３、４又は５記載の面材の組付構造。
【請求項７】
請求項１乃至６の何れかに記載の面材の組付構造を適用したことを特徴とする家具。
【発明の詳細な説明】
【技術分野】
【０００１】
本発明は、一対の面材を厚み方向に組み付けてなる構造並びに斯かる構造を採用した家具に関するものである。
【背景技術】
【０００２】
従来、一対の面材を厚み方向に組み付けてなる構造が種々提案され、利用されている。斯かる構造は、例えばオフィスにおいても天井やパーティション、或いは天板付家具等といったものにそれぞれ適用されている。
【０００３】
そして、一対の面材のいずれか又は両方に切り欠きである開口を設け、斯かる開口に把手を組み付けたものや（例えば、特許文献１参照）、一対の面材にそれぞれ連通するように開口を設け、斯かる開口を利用して配線挿通孔を構成するなどしたものが提案されている。
【０００４】
例えば上述の特許文献１では、一対の面材１２、２６のうち一方の面材１２に周囲を閉鎖された開口２３を設け斯かる開口２３に把手枠５を組付けたものとしている。このように一対の面材１２、２６の間に別の部材たる把手枠５を挿入することによって、一対の面材１２、２６二枚の面板の距離に変化が生じる、つまりパネルが凹凸状に波打ったりしてしまうことを回避するという作用も果たすものとなっている。
【特許文献１】実公平７−４３０４号公報
【発明の開示】
【発明が解決しようとする課題】
【０００５】
このようなパネルに対して面材の面方向から圧縮される外力が掛かると、二枚の面材が撓んでしまう。また、予め撓んだ状態となると、斯かる撓みがさらに助長されてしまう結果、面方向からの荷重に対する強度が低下してしまうものとなる。一方、特許文献１に示すようなものは、二枚の面材が互いに相寄る方向への撓みは面材間に格別のものを挿入しているので、斯かる方向への凹みは回避することができる。
【０００６】
しかしながら、上記特許文献１に示したようなものものであると、他方、二枚の面材が互いに離間する方向に撓んで膨出する方向への撓みを回避し得る構造となっているものではない。そして斯かる方向の撓みを回避するためには、一対の面材の内側同士を溶接する等といったことが考えられる。しかし、溶接によって面材を固定するとなると、面材の裏面側から溶接した痕が面材の表面に現れてしまうことも考えられ、面材の外観を損なうものとなってしまうか、或いは外観を損なわないために、別のもので面材の表面を覆わなければいけないといったことが起こり得る。
【０００７】
本発明は、このような不具合に着目したものであり、一対の面材の撓みを回避して高い強度を維持し得る面材の組付構造を提供する。
【課題を解決するための手段】
【０００８】
本発明は、このような目的を達成するために、次のような手段を講じたものである。すなわち、本発明に係る面材の組付構造は、前記一対の面材の一部において周囲を閉鎖された箇所を相互に連通する連通口と、当該連通口に取り付ける取付部材とを有するものとし、前記連通口と前記取付部材とによって、前記連通口に当該取付部材とを取り付ける際に、前記一対の面材のうち何れか一方の面材を他方の面材に引き寄せる引き寄せ機構を、前記連通口の周囲における面方向に対面する位置にそれぞれ構成していることを特徴としている。
【０００９】
そして本発明に係る家具は、斯かる面材の組付構造を適用していることを特徴とするものである。
【００１０】
このようなものであれば、一対の面材が、互いに離間する方向へ撓むことにより、面材を膨出させてしまうことを有効に回避することができるので、面材は面方向から圧縮される際に、面材の面方向から圧縮を、常に面材の断面における長手方向から受けることが出来る。そのため、斯かる圧縮に対する強度を高い強度で維持する組付構造並びに家具を構成することが可能である。また引き寄せ機構を一対の面材に形成した開口において面方向に対向する位置にそれぞれ設けることにより、挿通口の大きさに対して広範な面積を有する面材に適用しても上述した効果を好適に発揮することができる。
【００１１】
取付部材を連通口に容易に取付ることができ、斯かる容易な取付によって容易に撓み防止の効果を得るためには、取付部材を一体成形により構成したものとし、当該取付部材を厚み方向に沿った所定の取付方向から連通口に取り付けるものとして、引き寄せ機構を、取付方向から一方の面材を押圧する押圧部と、他方の面材を取付方向とは反対方向に引き寄せる引き寄せ部とを有するものとすることが望ましい。
【００１２】
そして、他方の面材を好適に一方の面材側へ引き寄せ得る具体的な構成として、
引き寄せ部を、取付部材に設けた爪部と、他方の面材に形成された厚み方向に沿って面する爪受け穴とを有するものとし、爪部を、取付部材の取付方向への移動に伴い経過的に弾性変形し得る弾性変形部と、取付部材を所定の取付位置に位置付けた際に弾性変形部の弾性反発力により爪受け穴の内縁に係合し得る係合部とを有するものとすることが好ましい。
【００１３】
そして取付部材を取り付ける課程において、取付部材が外れたりせずに容易に取り付けることができるものとするためには、引き寄せ機構を、押圧部が一方の面材を押圧した状態から押圧部と一方の面材とが離間することを禁止する抜け止め部をさらに有するものとして、押圧部とともに取付部材を一方の面材に一時的に仮止めし得るものとすればよい。
【００１４】
また、引き寄せ機構自体を外観上目立たないものとするためには、取付部材を、配線挿通孔を形成し得るものとすることが好ましく、当該箇所を有効に利用することができる。
【００１５】
そして斯かる一対の面材を起立面とする、すなわち本発明を起立面に適用すれば、起立面において常に掛かっている自重による面方向の圧縮に好適に対応し得るものとなる。
【発明の効果】
【００１６】
本発明によれば、一対の面材が、互いに離間する方向へ撓むことにより、面材を膨出させてしまうことを有効に回避することができるので、面材は面方向から圧縮される際に、面材の面方向から圧縮を、常に面材の断面における長手方向から受けることが出来る。そのため、斯かる圧縮に対する強度を高い強度で維持することが可能である。そうすることにより、より圧縮に強い面材の組付構造を実現して、斯かる組付け構造を適用した家具の強度を有効に向上させることが可能となる。
【発明を実施するための最良の形態】
【００１７】
以下、本発明の一実施形態を、図面を参照して説明する。
【００１８】
本実施形態は、本発明に係る面材の組付構造Ｘを、図１に示す家具たる天板付家具１に適用しているものである。具体的にはその一例として、広い面積を有する板状材を組み合わせて構成するパネル脚４に組付構造Ｘを適用しているものである。
【００１９】
天板付家具１は、自席が限定されないいわゆるフリーアドレス型のオフィスにおいて用いられる大型のテーブルであり、天板２と、この天板２を支持する支持構造体３とを主体としてなるものである。
【００２０】
天板２は、図１に示すように、天板要素２１を複数用いて構成したものである。具体的には、平面視矩形状をなす例えば木製の天板要素２１を４つ用い、そのうち２枚ずつの天板要素２１を一組としてそれらの反使用端２１ｂ同士を向き合わせて配置し、その天板要素２１の組を隣接させて配置することで、天板２全体の奥行き方向中央部に各天板要素２１の反使用端２１ｂを集合させ、且つ奥行き方向両端部に各天板要素２１の使用端２１ａを位置付けている。なお、天板２全体の奥行き方向に対をなす天板要素２１の反使用端２１ｂ同士の間に隙間を形成し、この隙間を、天板２の下方空間に配置した図示しない配線ダクトの配線空間に連通させている。また、図１では、天板２全体の奥行き方向中央部にデスクトップパネルＤＴＰを設けるとともに、天板２全体の両サイドにサイドパネルＳＰを設けた態様を例示しているが、これらデスクトップパネルＤＴＰ、サイドパネルＳＰは用途に応じて取り外し可能なものである。
【００２１】
また、支持構造体３は、同図に示すように、起立姿勢で配され左右一対をなすパネル状の脚体（以下、「パネル脚４」と称す）と、一対のパネル脚４同士の略中間位置に配される中間脚５を備えたものとしている。なお本実施形態において、中間脚５の具体的な構成の説明を省略するものとする。
【００２２】
パネル脚４は、同図に示すように、脚本体４１と、脚本体４１の上端部に設けたアタッチメント取付部、及び梁フレーム連結金具と、そして、後に詳述する配線挿通部７を備えたものとしている。
【００２３】
脚本体４１は、外パネル４１１と内パネル４１２とを相互に組み付けたものである。なお脚本体４１の下端部には複数の接地体４１６を設けている。本実施形態では、脚本体４１の厚み寸法を従来のものより十分に薄く設定し、天板２下に広い下肢空間を形成している。このパネル脚４は、外パネル４１１と内パネル４１２との間に形成される内部空間に図示しない補強部を介在させている。この補強部は、例えば一枚の板金素材を折り曲げ加工したものを介在させることによって、外パネル４１１及び内パネル４１２の凹み方向の撓みを抑制し得るものとしている。
【００２４】
ここで、本実施形態は、本発明に係る面材の組付構造（以下、組付構造Ｘと記す）を天板付家具１に適用したものである。そして具体的には、斯かる組付構造Ｘを、本実施形態では上述したパネル脚４に形成した配線挿通部７によって実現しているものである。
【００２５】
すなわち、天板付家具１のパネル脚４は、外パネル４１１及び内パネル４１２を厚み方向に組み付けてなるものにおいて、外パネル４１１及び内パネル４１２に設けた周囲を閉鎖された開口である連通口７１と、当該連通口７１に取り付ける枠部材７２とを有するものとし、連通口７１と枠部材７２とによって、連通口７１に当該枠部材７２とを取り付ける際に、外パネル４１１及び内パネル４１２のうち何れか一方の面材たる外パネル４１１を他方の面材たる内パネル４１２に引き寄せる引き寄せ機構Ｘ１を、外パネル４１１及び内パネル４１２の面方向において対向する位置にそれぞれ構成していることを特徴とするものとしている。
【００２６】
以下、組付構造Ｘを主に構成している配線挿通部７の構成について図１乃至図５を用いて説明する。なお図５において、説明の便宜上、後述するリブｒを一部破断することにより後述する爪部７２ｃ並びに爪受け穴７１１ａを図示したものとしている。
【００２７】
配線挿通部７は上述の通り、連通口７１と、取付部材たる枠部材７２とを主に有したものとなっている。
【００２８】
挿通口７１は、図１乃至図４に示すように、外パネル４１１側に形成した外側開口部７１１と、内パネル４１２側に形成した内側開口部７１２とを互いに連通させることによってなるものである。なお本実施形態では連通口７１として、周囲を閉鎖された開口を利用したものとしているが、例えば門形に構成したパネルの内側部分であったり、パネル脚の縁部の一部を切り欠いた箇所を連通口７１としてもよい。
【００２９】
外側開口部７１１は、図２に示すように、外パネル４１１を適宜塑性変形することにより、厚み方向に沿って面する爪受け穴７１１ａを形成したものとしている。そして当該爪受け穴７１１ａは連通口７１における上方中央に１箇所、そして対面する下側の両側に２箇所の計３箇所に設けており、当該爪受け穴７１１ａの先端側に、後述する爪部７２ｃの係合部７２ｃ２と係合し得る内縁７１１ａ１を有している。内側開口部７１２は、開口周辺外側を枠部材７２によって押圧される被押圧面７１２ａに設定するとともに、開口周辺内側において取付位置Ｙにある押圧面７２ｂが抜けることを回避するための抜け止め面７１２ｂとしている。
【００３０】
枠部材７２は、図１乃至図５に示すように、例えば樹脂によって一体に構成したものであり、パネル脚４４の厚み方向に沿って内パネル４１２側から外パネル４１１側へ向かう、図１及び図５に示す取付方向Ａから連通口７１に取り付けるものであある。そして斯かる枠部材７２を挿通口７１に取り付けることにより配線挿通孔７２ａを形成している。そして枠部材７２は、内パネル４１２を押圧する押圧面７２ｂと、外パネル４１１の爪受け穴７１１ａに係合し得る爪部７２ｃと、内パネル４１２を押圧した状態からの抜脱を禁止するための抜止爪７２ｄとを有している。加えて、連通口７１に隙間無く挿入するためのリブｒを各所に設けている。押圧面７２ｂは、内側開口部７１２の周縁に設けた被押圧面７１２ａを押圧するものである。言い換えれば内側開口部７１２の周縁を均一に押圧し得るものとなっている。爪部７２ｃは、上述の爪受け穴７１１ａに対応して上方中央並びに下方両端に計３つ形成したものであり、取付方向Ａへの移動に伴い経過的に弾性変形し得る弾性変形部７２ｃ１と、枠部材７２を所定の取付位置Ｙに位置付けた際に弾性変形部７２ｃ１の弾性反発力により爪受け穴７１１ａの内縁に係合し得る係合部７２ｃ２とを有している。抜止爪７２ｄは、上側並びに下側の両側に計４つ設けており、枠部材７２を挿入する際に取付位置Ｙにおいて抜け止め面７１２ｂに当接する当接面７２ｄ１と、枠部材７２の挿入の際に経過的に変形し得る変形部７２ｄ２と、取付位置Ｙにおいて内パネル４１２側から操作して当接面７２ｄ１の当接を解除し得る操作端７２ｄ３を有したものである。
【００３１】
なお当該枠部材７２には、図１及び図３に示すように当該配線挿通孔７２ａを開閉し得る蓋部７６を取り付けたものとしているが、当該蓋部７６の具体的な構成については省略するものとする。
【００３２】
しかして本実施形態に係る組付構造Ｘを適用したパネル脚４は、配線挿通部７を設けることにより、連通口７１と枠部材７２とによって、連通口７１に当該枠部材７２とを取り付ける際に、外パネル４１１及び内パネル４１２のうち何れか外パネル４１１を内パネル４１２に引き寄せる引き寄せ機構Ｘ１を構成している。
【００３３】
そして斯かる引き寄せ機構Ｘ１は、取付方向Ａから外パネル４１１を押圧する押圧部７３と、内パネル４１２を取付方向Ａとは反対方向に引き寄せる引き寄せ部７４と、押圧部７３が外パネル４１１を押圧した状態から押圧部７３と外パネル４１１とが離間することを禁止する抜け止め部７５を有している。
【００３４】
つまり、本実施形態では押圧部７３を、上述の押圧面７２ｂと被押圧面７１２ａとによって構成している。そして、引き寄せ部７４を、上述の爪部７２ｃと爪受け穴７１１ａとによって構成している。また、抜け止め部７５は、上述の抜止爪７２ｄの抜け止め面７１２ｂとによって構成しているものである。
【００３５】
続いて以下に、枠部材７２を内パネル４１２側から挿入し、取付位置Ｙとするまでの態様を図５乃至図７を用いて説明する。なお図６及び図７についても図５同様に、リブｒを一部破断することにより後述する爪部７２ｃ並びに爪受け穴７１１ａを図示したものとしている。
【００３６】
図６に示すように、枠部材７２と取付方向Ａにそって挿入していくと、リブｒの端部に内パネル４１２の内側開口部７１２が適宜当接しながら、正確に位置決めされた状態で挿入することができる。続いて図７に示すように、取付方向Ａへさらに枠部材７２を押圧してゆくと、爪部７２ｃの弾性変形部７２ｃ１と、抜止爪７２ｄの変形部７２ｄ２が経過的に弾性変形する。
【００３７】
そして図５に示すように、取付位置Ｙとなると、押圧部７３によって押圧面７２ｂと被押圧面７１２ａとが当接することによって内パネル４１２を押圧しつつ、引き寄せ部７４によって爪部７２ｃの係合部７２ｃ２が爪受け穴７１１ａの内縁７１１ａ１と係合した状態となることにより、外パネル４１１が内パネル４１２側へ引き寄せられる状態となる。加えて、斯かる状態では抜け止め部７５が押圧面７２ｂが取付方向Ａと反対の方向へ移動することを好適に禁止しているため安定した取付位置Ｙへ位置付け得るものとなっている。
【００３８】
さらに、枠部材７２の取付時にすでに内パネル４１２と外パネル４１１とが離間する方向に撓んでしまい、爪部７２ｃが爪受け穴７１１ａと係合し得る位置に届かない場合であっても、外パネル４１１を内パネル４１２側へ押圧してやれば、抜け止め部７５と押圧部によって枠部材７２は内パネル４１２に好適に位置決めされているため抜脱する事はなく、容易に取付位置Ｙに位置付けることができる。
【００３９】
以上のような構成とすることにより、本実施形態に係る組付構造Ｘを適用した天板付家具１、具体的にはパネル脚４に引き寄せ機構Ｘ１を構成することにより、外パネル４１１及び内パネル４１２が、互いに離間する方向へ撓むことにより、外パネル４１１及び内パネル４１２を膨出させてしまうことを有効に回避することができるので、外パネル４１１及び内パネル４１２は面方向から圧縮される荷重が掛かる際に、斯かる圧縮を常にパネル脚の長手方向から圧縮する方向に正確に受けることが出来る。そのため、斯かる圧縮、すなわち天板２に斯かる荷重に対して高い強度で耐えうるものとなっている。
【００４０】
特に、挿通口７１を周囲を閉鎖された開口の周囲において対面する位置にそれぞれ設けているので、面積を大きく構成している外パネル４１１及び内パネル４１２における広範な領域において上述した撓み防止の効果を獲得し得たものとなっている。
【００４１】
そして、取付部材たる枠部材７２を一体成形により構成したものとし、当該枠部材７２を厚み方向に沿った所定の取付方向Ａから連通口７１に容易に取り付けるものとして、上述した効果を容易に獲得し得るものとなっている。
【００４２】
そして引き寄せ部７４を、枠部材７２に設けた爪部７２ｃと、内パネル４１２に形成された厚み方向に沿って面する爪受け穴７１１ａとによって構成しているので、取付方向Ａから枠部材７２を挿入しても好適に外パネル４１１を引き寄せ得るものとなっている。
【００４３】
さらに抜け止め部７５構成して枠部材７２を外パネル４１１に一時的に仮止めし得るものとしているので、取付位置Ｙからの枠部材７２の抜脱を有効に回避し得るとともに、仮止めした状態で外パネル４１１を容易に引き寄せ得るものとしている。
【００４４】
また、本発明に係る組付構造Ｘにより、配線挿通孔７２ａを構成することによって、引き寄せ機構Ｘ１自体を外観上目立たない構成となっている。
【００４５】
特に本実施形態では、外パネル４１１及び内パネル４１２を起立面とする、すなわち本発明を起立面に適用して、起立面において常に掛かっている自重による面方向の圧縮に好適に対応し得るものとするのみならず、本発明を天板付家具１の天板２を支持するパネル脚４に適用することによって、外パネル４１１及び内パネル４１２の自重のみならず、好適に天板２並びに天板２上の載置物の荷重を好適に受け得る、頑強な天板付家具１を構成し得たものとなっている。
【００４６】
以上、本発明の実施形態について説明したが、各部の具体的な構成は、上述した実施形態のみに限定されるものではなく、本発明の趣旨を逸脱しない範囲で種々変形が可能である。
【００４７】
例えば、例えば上記実施形態では引き寄せ機構を起立面であるパネル脚に適用したものとしたが、例えば、天板や天井パネルなど、一対の面板を厚み方向に組付けたものであれば、種々のものに適用することができる。また上記実施形態では配線挿通部を利用して本発明を周囲を閉鎖された開口に対して適用するものとしたが、斯かる態様に限られず例えば、Ｕ字型に形成したパネルの内側面など、一部を切り欠いた切り欠き部であれば適用することが可能である。また、本発明の取付部材は枠部材に限られず、例えばピン形状のものなど、種々の態様のものを選択することが可能である。
【００４８】
その他、各部の具体的構成についても上記実施形態に限られるものではなく、本発明の趣旨を逸脱しない範囲で種々変形が可能である。
【図面の簡単な説明】
【００４９】
【図１】本発明の一実施形態に係る外観図。
【図２】同実施形態に係る要部を示す外観図。
【図３】同他の外観図。
【図４】同実施形態に係る要部を示す平面図。
【図５】図４に係るＩ−Ｉ線断面図。
【図６】図４に対応した作用説明図。
【図７】同上。
【符号の説明】
【００５０】
１…家具（天板付家具）
２…天板
４…パネル脚
４１１…一方の面材（外パネル）
４１２…他方の面材（内パネル）
７１…連通口
７１１ａ…爪受け穴
７１１ａ１…内縁
７２…取付部材（枠部材）
７２ａ…配線挿通孔
７２ｃ…爪部
７３…押圧部
７４…引き寄せ部
７５…抜け止め部
Ａ…取付方向
Ｘ…組付構造
Ｘ１…引き寄せ機構
Ｙ…取付位置
【図１】
0005023359.tif 000002
【図２】
0005023359.tif 000003
【図３】
0005023359.tif 000004
【図４】
0005023359.tif 000005
【図５】
0005023359.tif 000006
【図６】
0005023359.tif 000007
【図７】
0005023359.tif 000008